【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系により形成された被写体像を光電変換する撮像素子と、
前記撮像素子の出力信号の高周波成分に基づいて、前記撮影光学系の焦点状態を表すフォーカス評価信号を出力する第１の検出手段と、
前記フォーカス評価信号とは異なる検出信号を出力する第２の検出手段と、
前記フォーカス評価信号に基づいて前記フォーカスレンズの合焦位置を探索するように該フォーカスレンズの駆動を制御する第１のフォーカス制御、および前記検出信号に基づいて前記フォーカスレンズの合焦位置又は駆動量を求めて前記フォーカスレンズの駆動を制御する第２のフォーカス制御を行う制御手段とを有し、
前記制御手段は、前記第１のフォーカス制御によって合焦状態が得られなかったときに、前記第２のフォーカス制御を行うことを特徴とする撮像装置。
【請求項２】
前記第２の検出手段は、被写体までの距離を検出するための検出信号を出力することを特徴とする請求項１に記載の撮像装置。
【請求項３】
前記第２の検出手段は、前記撮影光学系を通った光を受ける受光センサを備え、前記撮影光学系のデフォーカス量および方向を検出するための検出信号を出力することを特徴とする請求項１に記載の撮像装置。
【請求項４】
前記制御手段は、前記第１のフォーカス制御によって前記フォーカスレンズの全可動範囲で合焦位置を検索したにもかかわらず合焦状態が得られなかったときに、前記第２のフォーカス制御を行うことを特徴とする請求項１から３のいずれか１つに記載の撮像装置。
【請求項５】
前記制御手段は、前記第１のフォーカス制御によって前記フォーカスレンズの全可動範囲のうち一部で合焦位置を検索したにもかかわらず合焦状態が得られなかったときに、前記第２のフォーカス制御を行うことを特徴とする請求項１から３のいずれか１つに記載の撮像装置。
【請求項６】
前記制御手段は、１回目の前記第１のフォーカス制御によって合焦状態が得られなかったときに、前記第２のフォーカス制御を行い、その後、２回目の前記第１のフォーカス制御を行うことを特徴とする請求項１から５のいずれか１つに記載の撮像装置。
【請求項７】
前記制御手段は、前記２回目の第１のフォーカス制御を行うときは、前記１回目の第１のフォーカス制御に対して制御特性を変更することを特徴とする請求項６に記載の撮像装置。
【請求項８】
フォーカスレンズを含む撮影光学系により形成された被写体像を光電変換する撮像素子を有する撮像装置のフォーカス制御方法であって、
前記撮像素子の出力信号の高周波成分に基づいて、前記撮影光学系の焦点状態を表すフォーカス評価信号を生成するステップと、
前記フォーカス評価信号とは異なる検出信号を生成するステップと、
前記フォーカス評価信号に基づいて、前記フォーカスレンズの合焦位置を探索するように前記フォーカスレンズの駆動を制御する第１のフォーカス制御ステップと、
前記検出信号に基づいて前記フォーカスレンズの合焦位置又は駆動量を求めて前記フォーカスレンズの駆動を制御する第２のフォーカス制御ステップとを有し、
前記第１のフォーカス制御ステップによって合焦状態が得られなかったときに、前記第２のフォーカス制御ステップを行うことを特徴とする撮像装置のフォーカス制御方法。
【請求項９】
フォーカスレンズを含む撮影光学系により形成された被写体像を光電変換する撮像素子と、
前記撮像素子の出力信号の高周波成分に基づいて評価値を検出する第１の検出手段と、
前記第１の検出手段により検出された評価値に基づいて前記撮影光学系の焦点状態を表すフォーカス評価信号を出力する第２の検出手段と、
前記フォーカス評価信号とは異なる検出信号を出力する第３の検出手段と、
前記フォーカス評価信号に基づいて前記フォーカスレンズの合焦位置を探索するように該フォーカスレンズの駆動を制御する第１のフォーカス制御、および前記検出信号に基づいて前記フォーカスレンズの合焦位置又は駆動量を求めて前記フォーカスレンズの駆動を制御する第２のフォーカス制御を行う制御手段とを有し、
前記制御手段は、前記第１の検出手段により検出された評価値に基づいて、前記第１のフォーカス制御によるか、または前記第２のフォーカス制御によるかを選択するとともに、当該第２のフォーカス制御を行う場合には前記第１のフォーカス制御を選択しやすくなるようにすることを特徴とする撮像装置。
【請求項１０】
前記制御手段は、前記評価値が所定の閾値に到達したか否かによって前記第１、第２のフォーカス制御を選択するとともに、当該閾値を制御することによって前記第１のフォーカス制御を選択しやすくすることを特徴とする請求項９に記載の撮像装置。
【請求項１１】
フォーカスレンズを含む撮影光学系により形成された被写体像を光電変換する撮像素子を有する撮像装置のフォーカス制御方法であって、
前記撮像素子の出力信号の高周波成分に基づいて評価値を検出する第１の検出ステップと、
前記第１の検出ステップにおいて検出された評価値に基づいて前記撮影光学系の焦点状態を表すフォーカス評価信号を出力する第２の検出ステップと、
前記フォーカス評価信号とは異なる検出信号を出力する第３の検出ステップと、
前記フォーカス評価信号に基づいて前記フォーカスレンズの合焦位置を探索するように該フォーカスレンズの駆動を制御する第１のフォーカス制御、および前記検出信号に基づいて前記フォーカスレンズの合焦位置又は駆動量を求めて前記フォーカスレンズの駆動を制御する第２のフォーカス制御を行う制御ステップとを有し、
前記制御ステップでは、前記第１の検出ステップにおいて検出された評価値に基づいて、前記第１のフォーカス制御によるか、または前記第２のフォーカス制御によるかを選択するとともに、当該第２のフォーカス制御を行う場合には前記第１のフォーカス制御を選択しやすくなるようにすることを特徴とする撮像装置のフォーカス制御方法。
【手続補正２】
【補正対象書類名】明細書
【補正対象項目名】００８３
【補正方法】変更
【補正の内容】
【００８３】
Ｓｔｅｐ６０４では、フォーカスレンズユニット１０５が無限遠端に達したか否かを判定する。無限遠端とは、設計上決められたフォーカスレンズユニット１０５のストロークのうち最も無限遠寄りの位置である。無限遠端に達していればＳｔｅｐ６０８へ進む。達していなければＳｔｅｐ６０５へ進む。
【手続補正３】
【補正対象書類名】明細書
【補正対象項目名】００８６
【補正方法】変更
【補正の内容】
【００８６】
Ｓｔｅｐ６０６では、フォーカスレンズユニット１０５を、前回と同じ方向（順方向）に所定の速度で山登り駆動するようフォーカシングモータ１１１に制御信号を出力する。そして、Ｓｔｅｐ６０７へ進み、今回の処理を終了する。
【手続補正４】
【補正対象書類名】図面
【補正対象項目名】図３Ｂ
【補正方法】変更
【補正の内容】
【図３Ｂ】
2005084426.tif 000001
【手続補正５】
【補正対象書類名】図面
【補正対象項目名】図４Ａ
【補正方法】変更
【補正の内容】
【図４Ａ】
2005084426.tif 000002
【手続補正６】
【補正対象書類名】図面
【補正対象項目名】図４Ｂ
【補正方法】変更
【補正の内容】
【図４Ｂ】
2005084426.tif 000003
【手続補正７】
【補正対象書類名】図面
【補正対象項目名】図９Ｂ
【補正方法】変更
【補正の内容】
【図９Ｂ】
2005084426.tif 000004